(57)【要約】【課題】テキスト画像の背景画像をユーザー任意の画像に選択できるテレビジョン受像機を提供することを目的とする。【解決手段】テキスト処理回路１０２から出力されるテキスト画像と不揮発性ストレージメディア１０８から出力されるユーザー任意の画像を合成処理する画像合成回路１２１を設ける。【選択図】図１
2006157493.tif 000002
【特許請求の範囲】
【請求項１】
放送信号に搬送されるテキスト信号を抽出するテキスト処理回路と、画像データを蓄積する不揮発性ストレージメディアから入力した画像データに基づいて背景画像信号を作成し前記テキスト処理回路の出力に基づいて文字画像信号を作成し前記背景画像信号と前記文字画像信号を合成処理する画像合成回路とを有するテレビジョン受像機。
【請求項２】
放送信号に搬送されるテキスト信号を抽出するテキスト処理回路と、画像データを蓄積する不揮発性ストレージメディアから入力した画像データを蓄積する画像メモリと、前記画像メモリの出力に基づいて背景画像信号を作成し前記テキスト処理回路の出力に基づいて文字画像信号を作成し前記背景画像信号と前記文字画像信号を合成処理する画像合成回路とを有するテレビジョン受像機。
【請求項３】
画像メモリは不揮発性メモリであることを特徴とする請求項２記載のテレビジョン受像機。
【請求項４】
画像データは静止画像または動画像のデータである請求項１または請求項２記載のテレビジョン受像機。
【発明の詳細な説明】
【技術分野】
【０００１】
本発明は、テキストデータの復元が可能で且つ不揮発性ストレージメディアから画像データを読み込む事の可能なテレビジョン受像機に関するものである。
【背景技術】
【０００２】
テレビジョン受像機において、アナログ放送やデジタル放送と称される一般放送信号に搬送されるテキストデータを基に、演算処理を行うことによりテキスト画像として復元を行い受像部に表示するシステムは実用に供されている（例えば、特許文献１、非特許文献１参照）。
【０００３】
実用のテレビジョン受像機においてテキスト表示は天気予報やテレビジョン番組情報等の各種情報が表示されるが、その背面の画像は、単一色で埋められる方法やテレビジョンシステムに初めから保存されている画像、もしくはチューナを介して受信した映像や外部電源供給を必要とする他映像システムからの入力映像を表示するものであった。
【０００４】
これは、ユーザーがテレビジョン受像機における一般放送信号に搬送されるテキストデータをテキスト画像として受像部で閲覧する際、テキスト画像表示時の背景画像の選択権が狭められていた。
【０００５】
図３は従来のテレビジョン受像機の構成を示すブロック図である。３０１はチューナであって、３０２はテキスト処理回路、３０３は映像処理回路、３０５は受像部、３０６は不揮発性ストレージメディア制御演算処理回路、３０７は不揮発性ストレージメディア受入部、３０８は不揮発性ストレージメディア、３０９は合成回路、３１０はリモコン、３１１はリモコン受信機、３１２は制御回路、３１３はＣＰＵである。チューナ３０１で受信した一般放送信号に搬送されるテキストデータはテキスト処理回路３０２にてテキストデータからテキスト画像に復元される。復元されたテキスト画像は合成回路３０９を介して前記テキスト画像のみか、もしくは一般放送信号より映像処理回路３０３により再生される映像と前記テキスト画像と合成されて受像部３０５に出力される。
【０００６】
一方、不揮発性ストレージメディア３０８からの画像データは不揮発性ストレージメディア受入部３０７を介し、不揮発性ストレージメディア制御演算処理回路３０６に入力され、その不揮発性ストレージメディア制御演算処理回路３０６にて静止画像に復元された後、受像部３０５に出力される。
【特許文献１】特開平８−１５４２１７号公報
【非特許文献１】安藤龍男著、「NHKテレビ技術教科書（上）」、日本放送出版協会、1989年４月
【発明の開示】
【発明が解決しようとする課題】
【０００７】
しかしながら、テキスト画像を含む合成回路３０９の出力と不揮発性ストレージメディア制御演算処理回路３０６の出力は別々の信号ラインを通る為、テキスト画像表示の機能と静止画像の機能は別々の機能となっており、テキスト画像と静止画像を合成する機能はなかった。
【０００８】
このため、テレビジョン受像機において一般放送信号と共に搬送されるテキストデータをテキスト画像として受像部で閲覧する際に、テキスト画像表示時の背景画像は、テレビジョン受像機に設定されている背景画像、一般放送信号から再生される映像、または外部電源供給を利用する他映像システムからの映像を利用する背景映像に限定されたものであり、テキスト画像の背景画像をユーザー任意の画像に選択することは不可能であるという問題点があった。
【０００９】
本発明は、テキスト画像の背景画像をユーザー任意の画像に選択するテレビジョン受像機を提供することを目的とする。
【課題を解決するための手段】
【００１０】
本発明は、放送信号に搬送されるテキスト信号を抽出するテキスト処理回路と、画像データを蓄積する不揮発性ストレージメディアから入力した画像データに基づいて背景画像信号を作成し前記テキスト処理回路の出力に基づいて文字画像信号を作成し前記背景画像信号と前記文字画像信号を合成処理する画像合成回路とを有するテレビジョン受像機であることを特徴とする。
【００１１】
また、放送信号に搬送されるテキスト信号を抽出するテキスト処理回路と、画像データを蓄積する不揮発性ストレージメディアから入力した画像データを蓄積する画像メモリと、前記画像メモリの出力に基づいて背景画像信号を作成し前記テキスト処理回路の出力に基づいて文字画像信号を作成し前記背景画像信号と前記文字画像信号を合成処理する画像合成回路とを有するテレビジョン受像機であることを特徴とする。
【００１２】
さらに、画像メモリは不揮発性メモリであることを特徴とする。
【００１３】
また、画像データは静止画像または動画像のデータであることを特徴とする。
【発明の効果】
【００１４】
ユーザーが受像部におけるテキスト画像表示時の背景画像を任意の一枚もしくは複数の静止画像から選択および変更をすることを可能とし、且つユーザー任意の静止画像を閲覧する機会を増やすことが可能となる。
【発明を実施するための最良の形態】
【００１５】
（実施の形態1）
図１は、本発明の実施の形態1におけるテレビジョン受像機の構成を示すブロック図である。１０１〜１０８と１１０〜１１３は、図３の３０１〜３０８と３１０〜３１３と同様である。又、１２１は画像合成回路、１２２は画像メモリである。画像合成回路１２１に入力される信号は、テキスト処理回路１０２から出力されるＲＧＢ信号と映像処理回路１０３から出力されるＲＧＢ信号、不揮発性ストレージメディア制御演算処理回路１０６から出力されるＲＧＢ信号であり、画像合成回路１２１の動作制御は制御回路１１２の出力信号にて行われる。これにより、画像合成回路１２１において、テキスト処理回路１０２から出力されるＲＧＢ信号と不揮発性ストレージメディア制御演算処理回路１０６から出力されるＲＧＢ信号を合成処理することができる。
【００１６】
図２は、画像合成回路１２１の内部処理説明図である。２０１はテキスト画像、２０２はテキスト部分、２０３は背景部分、２０４は画像、２０５は合成画像である。テキスト処理回路１０２の出力がテキスト画像２０１の場合、画像合成回路１２１は、テキスト部分２０２と背景部分２０３への分離処理を行う。その上で、不揮発性ストレージメディア制御処理回路１０６の出力が画像２０４の場合、画像合成回路１２１は、テキスト部分２０２の背景画像に画像２０４の合成処理をし、合成画像２０５を作成する。合成画像２０５は受像部１０５において表示される。従って、ユーザーは受像部１０５にて合成画像２０５を見ることが可能となる。
【００１７】
一方、不揮発性ストレージメディア制御演算処理回路１０６は、不揮発性ストレージメディア１０８から不揮発性ストレージメディア受入部１０７を介して入力される画像データを復元することにより、ＲＧＢ出力信号を作成している。従って、不揮発性ストレージメディア１０８内の画像データをユーザー任意の画像データに入れ換えることにより、不揮発性ストレージメディア制御演算処理回路１０６の出力である画像２０４をユーザー任意の背景画像に変更することが可能となる。つまり合成画像２０５を変更することが可能となる。ユーザーはリモコン１１０のスイッチを押すことにより、リモコン受信機１１１と制御回路１１２を介して不揮発性ストレージメディア制御演算回路１０６を制御することが可能であり、不揮発性ストレージメディア１０８に複数の画像データが入っている場合には、不揮発性ストレージメディア１０８内の複数の画像データから1種類もしくは数種類の画像データを選択し合成画像２０５を変更することが可能である。
【００１８】
又、不揮発性メモリである画像メモリ１２２を搭載することにより、不揮発性ストレージメディア１０８の画像データもしくは不揮発性ストレージメディア制御演算処理回路１０６内部で変換した画像データを不揮発性ストレージメディア制御演算処理回路１０６から画像メモリ１２２に一時的に蓄積することが可能となる。これにより、不揮発性ストレージメディア１０８が不揮発性ストレージメディア受入部１０７に挿入されていない場合でも、不揮発性ストレージメディア制御演算処理回路１０６は画像メモリ１２２の画像データを読み込むことが可能となり、その画像データから静止画像を復元後、ＲＧＢ信号の出力を行い、画像合成回路１２１はテキスト画像と不揮発性ストレージメディア制御演算処理回路１０６の出力静止画像を合成することが可能となる。
【００１９】
更にテレビジョン受像機の電源をＯＦＦ状態にした場合でも、画像メモリ１２２は不揮発性メモリを使用していることから画像データが消えることは無く、電源ＯＮ時には再度ユーザー任意の静止画像を見ることが可能となる。
【００２０】
なお上記内容において映像信号は全てＲＧＢ信号として説明を行ったが、ＹＵＶ形式やＹＣｂＣｒ形式等の他形式の映像信号であってもよい。又、画像データとして静止画データを用いて説明したが、動画データであってもよく、静止画像も動画であってもよい。
【００２１】
更に、不揮発性ストレージメディア制御演算処理回路から出力される映像信号は、画像合成回路に直接入力されず、映像処理回路を介して画像合成回路等、他の回路を介して入力されてもよい。
【００２２】
以上により本実施の形態によれば、テキスト画像と任意の静止画像を合成する回路を導入することにより、受像部においてテキスト画像の背面に任意の静止画像を表示することが可能となる。
【産業上の利用可能性】
【００２３】
テレビジョン受像機のリモコンのスイッチを押すことで容易にテキスト画像表示時の背景画像をユーザー任意の画像に変更することが可能となる。
【図面の簡単な説明】
【００２４】
【図１】本発明の実施の形態1におけるテレビジョン受像機の構成を示すブロック図
【図２】画像合成回路１２１の内部処理説明図
【図３】従来のテレビジョン受像機の構成を示すブロック図
【符号の説明】
【００２５】
１０１    チューナ
１０２    テキスト処理回路
１０３    映像処理回路
１０５    受像部
１０６    不揮発性ストレージメディア制御演算処理回路
１０７    不揮発性ストレージメディア受入部
１０８    不揮発性ストレージメディア
１１０    リモコン
１１１    リモコン受信機
１１２    制御回路
１１３    ＣＰＵ
１２１    画像合成回路
１２２    画像メモリ
２０１    テキスト画像
２０２    テキスト部分
２０３    背景部分
２０４    画像
２０５    合成画像
【図１】
2006157493.tif 000003
【図２】
2006157493.tif 000004
【図３】
2006157493.tif 000005